(57)【特許請求の範囲】
【請求項１】
メニューアイテム及び他の情報に対応するアイコンを表示する表示手段と、
上記アイコンをスクロールし、選択可能な複数のアイコンを同時にハイライトするスクロール手段と、
上記ハイライトされた複数のアイコンのいずれか１つに対するユーザ入力に応じて、当該１つのアイコンに対応するメニューアイテムを選択する入力手段と、
を備え、
上記表示手段には、メニューの利用可能な全てのアイコンの少なくとも幾つかが同時に表示され、
上記スクロール手段が、上記アイコンを少なくとも２つの方向にスクロールして、上記選択可能な複数のアイコンをハイライトして表示するとともに、他のアイコンよりも拡大して表示することにより、上記複数のアイコンは、上記スクロール手段の操作に応じて、上記少なくとも２つの方向のうちの１方向における連続した順番に拡大して表示され、
上記入力手段は、ハイライトされる各アイコンに対して１つの入力キーを有し、いずれかの上記入力キーへの操作を当該入力キーに対応するアイコンに対する上記ユーザ入力として扱う、
ことを特徴とする、無線通信端末装置。
【請求項２】
上記アイコンは、環状に配されて表示されることを特徴とする請求項１記載の無線通信端末装置。
【請求項３】
上記スクロール手段の操作により、上記表示されたアイコンは、順にその位置を変え、上記選択されるアイコンの拡大表示は、常に上記表示手段の同じ位置に行われることを特徴とする請求項１又は２記載の無線通信端末装置。
【請求項４】
上記拡大表示されたアイコンは、上記表示手段の表示領域の中央に位置することを特徴とする請求項３記載の無線通信端末装置。
【請求項５】
上記実際に選択されたアイコンの前の及び次のアイコンは、上記他のアイコンよりも大きく表示されるとともに、上記実際に選択されたアイコンよりは小さく表示されることを特徴とする請求項１乃至４のいずれか１項記載の無線通信端末装置。
【請求項６】
上記スクロール手段は、回転されるジョグダイヤルであり、上記アイコンをスクロールすることを特徴とする請求項１乃至５のいずれか１項記載の無線通信端末装置。
【請求項７】
上記選択されたアイコンの次に続くアイコンの拡大表示の方向は、上記ジョグダイヤルの回転方向に一致していることを特徴とする請求項６記載の無線通信端末装置。
【請求項８】
上記表示手段の選択されたアイコンのメニューアイテムの文字表示は、上記選択されたアイコンの近くに行われることを特徴とする請求項１乃至７のいずれか１項記載の無線通信端末装置。
【請求項９】
表示手段、入力手段、及びスクロール手段を備える無線通信端末装置において上記表示手段にアイコンを表示するためのアイコンの表示方法であって、
メニューアイテム及び他の情報に対応するアイコンを上記表示手段に表示するステップと、
選択可能な複数のアイコンを同時にハイライトするステップと、
を有し、
ハイライトされる上記複数のアイコンのいずれか１つに対する上記入力手段を介したユーザ入力に応じて、当該１つのアイコンに対応するメニューアイテムは選択可能であり、
メニューの利用可能な全てのアイコンのうちの少なくとも幾つかのアイコンが、上記表示手段に同時に表示され、
上記アイコンは、上記スクロール手段の操作によって少なくとも２つの方向にスクロールされ、上記選択可能な複数のアイコンがハイライトされるとともに、他のアイコンよりも拡大して表示されることにより、上記複数のアイコンは、上記スクロール手段の操作に応じて、上記少なくとも２つの方向のうちの１方向における連続した順番に拡大して表示され、
上記入力手段は、ハイライトされる各アイコンに対して１つの入力キーを有し、いずれかの上記入力キーへの操作を当該入力キーに対応するアイコンに対する上記ユーザ入力として扱う、
ことを特徴とする、アイコンの表示方法。
【請求項１０】
上記アイコンは、環状に配されて表示されることを特徴とする請求項９記載のアイコンの表示方法。
【請求項１１】
上記スクロール手段の操作により、上記表示されたアイコンは、順にその位置を変え、上記選択されるアイコンの拡大表示は、常に上記表示手段の同じ位置に行われることを特徴とする請求項９又は１０記載のアイコンの表示方法。
【請求項１２】
上記拡大表示されたアイコンは、上記表示手段の表示領域の中央に位置することを特徴とする請求項１１記載のアイコンの表示方法。
【請求項１３】
上記実際に選択されたアイコンの前の及び次のアイコンは、上記他のアイコンよりも大きく表示されるとともに、上記実際に選択されたアイコンよりは小さく表示されることを特徴とする請求項９乃至１２のいずれか１項記載のアイコンの表示方法。
【請求項１４】
上記スクロール手段は、回転されるジョグダイヤルであり、上記アイコンをスクロールすることを特徴とする請求項９乃至１３のいずれか１項記載のアイコンの表示方法。
【請求項１５】
上記選択されたアイコンの次に続くアイコンの拡大表示の方向は、上記ジョグダイヤルの回転方向に一致していることを特徴とする請求項１４記載のアイコンの表示方法。
【請求項１６】
上記選択されたアイコンのメニューアイテムの文字表示は、上記選択されたアイコンの近くに行われることを特徴とする請求項９乃至１５のいずれか１項記載のアイコンの表示方法。
【発明の詳細な説明】
【０００１】
【発明の属する技術分野】
本発明は、無線通信端末装置、及び無線通信端末装置の表示部にアイコンを表示するアイコンの表示方法に関する。特に、本発明は、メニューアイテム及び他の情報に対応するアイコンを表示する表示部を備える無線通信端末装置に関する。
【０００２】
【従来の技術】
無線通信端末装置（terminal for wireless telecommunication）としては、例えば無線通信システム（telecommunication system）における基地局（base station）又は移動局（mobile station）がある。移動局としては、例えば携帯電話機（portable telephone）や、情報を送受信する携帯電子機器（portable electronic device）がある。
【０００３】
これらの携帯電話機及び携帯電子機器は、表示部を備え、表示部にはメニューアイテム（menu items）や他の情報に対応したアイコン（icons）が表示される。アイコンは、シンボル（symbols）又は画像（pictures）であり、選択可能なメニューアイテムを可視化するために用いられる。例えばメニューに３個のサブメニュー（submenues）又は３個の副機能（subfunctions）がある場合、これらのサブメニュー又は副機能は、３個の異なるアイコンで可視化される。通常、アイコンはメニューアイテムを表す語（term）又は語句（expression）の文字表示を置換したもであり、どのような言語を用いるユーザにも、それらは理解可能である。
【０００４】
現在市場には、アイコンを表示する表示部を有する多種多様な携帯電話機が出回っている。例えば、アルカテル社（Alcatel）の携帯電話機「ワンタッチポケット（One Touch Pocket、商標）」は、メーニューアイテムに対応するアイコンを表示する表示手段と、アイコンをスクロールするスクロール手段と、アイコンを入力して、対応するメニューアイテムを選択する複数の入力手段を備える。スクロール手段は、２つの方向を示す矢印キーからなり、アイコンをスクロールすることができる。表示手段である表示部には、３個のアイコンが水平線上に並べて表示される。上方向又は下方向のスクロールを行うと、表示部には３個のアイコンにそれぞれ続く新たな３つのアイコンが表示される。表示部の下には、入力手段である３個のエンターキーが設けられており、各エンターキーは、表示されている３つのアイコンに割り当てられている。すなわち、表示されたアイコンのうちの１個のメニューアイテムは、そのアイコンに割り当てられたエンターキーを押すことによって、選択されて入力される。
【０００５】
ソニー株式会社（SONY）の携帯電話機「Ｚ１  Ｐｌｕｓ（商標）」は、メニューアイテム及び他の情報に対応するアイコンを表示する表示手段と、アイコンをスクロールし、選択されたアイコンをハイライト（highlight）するスクロール手段と、ハイライトされたアイコンを入力し、対応するメニューアイテムを選択する入力手段を備え、メニューの利用可能な全てのアイコンのうちの少なくとも幾つかを同時に、表示手段である表示部に表示し、スクロール手段は、アイコンを２つの方向にスクロールし、選択されたアイコンをハイライトする。スクロール手段は、回転キー、すなわちジョグダイヤル（商標）からなり、右回り又は左回りに回転することができ、表示されたアイコンをスクロールし、それらのアイコンのうちから１個を選択する。各メニューにおいて、同時に３個のアイコンが、表示部の水平線上に隣接して表示される。表示された３個のアイコンから選択された１つのアイコンは、そのアイコンの反転表示、すなわちネガ表示によってハイライトされる。ハイライトされたアイコンのメニューアイテムは、入力手段であるエンターキーを押すことによって入力される。したがって、エンターキーは１つしか設けられていない。回転キーを回すことによって、表示されている３個のアイコンは、順次ハイライトされる。表示部の左端又は右端のアイコンがハイライトされているときに、表示されていない次のアイコンに対応する方向に回転キーが回されると、次の連続した３個のアイコンが表示部に表示される。すなわち、アイコンは、ブロック毎（blockwise）に表示部に表示される。メニューのアイコンを連続してスクロールすることによって、表示部には、３個のアイコンからなるグループが次々に表示されるとともに、表示された３個のアイコンが、順次ハイライト、すなわち選択される。新たなグループの３個のアイコンが表示されるときにハイライトされるアイコンは、前のグループのハイライトされたアイコンの反対側に位置するものである。
【０００６】
【発明が解決しようとする課題】
上述したアルカテル社の「ワンタッチポケット」にはエンターキーが３つ必要であったのに対し、ソニー株式会社の「Ｚ１  Ｐｌｕｓ」では、必要とされるエンターキーは、唯の１つであるという利点があるが、特に、スクロール手段として回転キー（ジョグダイヤル）を用いるときは、どちらの方向にアイコンがハイライトされていくか、また、どちらの方向にアイコンのグループが切り換わっていくかが明確でない。特に、携帯機器の表示部は、通常小さいので、メニューの利用可能な全てのアイコンを同時に表示部に表示することはできない。したがって、ユーザには、メニューの表示されていない残りのアイコンは何か、それらをどのようにして表示するのかが明らかではない。また、反転表示されたアイコンは、時にはユーザにとって、選択できるかが不明確であり、ユーザを当惑させる又は混乱させる画像である。
【０００７】
本発明は、上述した実情に鑑みてなされたものであり、本発明の目的は、表示部に、メニューのアイコンを数多く同時に表示することができ、また、選択されるアイコンを明確且つ明白にハイライトすることができる無線通信端末装置、及びアイコンの表示方法を提供することである。
【０００８】
【課題を解決するための手段】
本発明に係る無線通信端末装置は、メニューアイテム及び他の情報に対応するアイコンを表示する表示手段と、アイコンをスクロールし、選択されるアイコンをハイライトするスクロール手段と、ハイライトされたアイコンを入力して、そのメニューアイテムを選択する入力手段を備える。表示手段には、メニューの利用可能な全てのアイコンの少なくとも幾つかが同時に表示され、スクロール手段が、アイコンを少なくとも２つの方向にスクロールして、選択されるアイコンをハイライトして表示するとともに、他のアイコンよりも拡大して表示することにより、アイコンは、スクロール手段の操作に応じて、少なくとも２つの方向のうちの１方向における連続した順番に拡大して表示される。
【０００９】
本発明に係るアイコンの表示方法は、メニューアイテム及び他の情報に対応するアイコンを表示手段に表示するステップと、選択されるアイコンを、対応するメニューアイテムが選択されて入力されるようにハイライトするステップを有する。メニューの利用可能な全てのアイコンのうちの少なくとも幾つかのアイコンが、表示手段に同時に表示され、アイコンは、スクロール手段の操作によって少なくとも２つの方向にスクロールされ、選択されたアイコンがハイライトされるとともに、他のアイコンよりも拡大して表示されることにより、アイコンは、スクロール手段の操作に応じて、少なくとも２つの方向のうちの１方向における連続した順番に拡大して表示される。
【００１０】
このように、本発明では、選択されたアイコンは、拡大して表示される。すなわち、他の表示されたアイコンは、選択されたアイコンよりも小さく表示されるので、従来の装置よりも、数多くのアイコンを、表示手段に同時に表示することができる。また、選択されたアイコンは、より詳細に表示されるので、ユーザは、その選択されたメニューアイテムに関する明確且つ明白な情報を得ることができる。選択されないアイコンは小さく表示されるので、殆どの場合、メニューの利用可能な全てのアイコンを表示手段に表示することができ、ユーザは常に、選択可能なアイコンの全てを同時に見ることができる。アイコンを、スクロール手段の操作に応じて、少なくとも２方向のうちの１方向に連続して順番に拡大して表示することにより、スクロール手段の操作方向、及び選択されるアイコンの連続した拡大表示の順番が、明白且つ明確に保証される。
【００１１】
また、本発明では、アイコンを環状に表示する。アイコンを環状に配することによって、次に選択されて拡大表示されるアイコンのスクロール手段の操作方向を、はっきりさせることができる。これは特に、スクロール手段が回転キー（ジョグダイヤル）の場合に言えることである。また、別の方法として、アイコンを行列（matrix）に配列して、行毎にスクロールするようにしてもよい。
【００１２】
さらに、スクロール手段を操作することによって、表示されたアイコンは連続的にその位置を変え、選択されるアイコンの拡大表示は、常に表示手段の同じ位置に配される。すなわち、スクロール手段を操作することによって、表示されたアイコンは、所定の位置を通って移動し、この所定の位置ではアイコンは常に拡大されて表示される。したがって、ユーザは、表示手段を見回して拡大されたアイコンを見つける必要はなく、拡大された、すなわち選択されたアイコンを表示手段の常に同じ位置で見つけることができる。拡大されて表示されたアイコンは、アイコンが表示される表示手段の表示領域の中央に位置する。表示手段の中央の領域は、ユーザが常に最初に見る位置であるので、ユーザは、選択されたアイコンをより早く見つけることができる。別の方法として、アイコンの表示位置を変えずに、スクロール手段の操作によって、アイコンを順次拡大して表示するようにしてもよい。
【００１３】
実際に選択されたアイコンの前の及び次のアイコンは、他のアイコンよりも拡大されて表示されるとともに、実際に選択されたアイコンよりは小さく表示される。すなわち、拡大されたアイコンの隣に位置する２個のアイコンは、拡大されたアイコンと他のアイコンの中間のサイズを有する。これによって、ユーザは、選択できる次のアイコンに関するより詳細で明確な情報を得ることができる。特に、アイコンが環状に配されているときは、拡大されたアイコンが表示手段の下部に表示され、小さいサイズのアイコンが表示手段の上部に表示され、中間サイズのアイコンが表示手段の左側及び右側に表示され、三次元的な効果が得られる。すなわち、表示手段の上部の小さいサイズのアイコンは、遠く離れて見え、表示手段下部の拡大されたアイコンは、最も近くに見え、表示手段の左側及び右側の中間サイズのアイコンは、いくぶん離れて見える。特に、表示手段が、高解像度の図形表示器であるときは、アイコンの滑らかな及び視覚的に興味を引く回転動作を実現することができる。
【００１４】
スクロール手段は、回転されるジョグダイヤルであり、アイコンをスクロールすることができる。ジョグダイヤルは、容易に操作することができる回転キーであり、その操作方向を、表示手段上のアイコンの移動方向が明白且つ明確になるように割り当てることができる。アイコンが環状に配されているときは、ジョグダイヤルが右回りに回転すると、アイコンは右回りに動き、ジョグダイヤルが左回りに回転すると、アイコンは左回りに動くので、ユーザは、選択したいアイコンに対してどちらの方向にジョグダイヤルを回転させればよいかが明確に分かる。
【００１５】
表示手段の選択されたアイコンのメニューアイテムの文字表示は、選択されたアイコンの近くに表示される。これにより、ユーザは、付加的な情報が提供され、アイコンの意味をあまりよく理解できないときでも、選択されたメニューアイテムを簡単に理解することができる。
【００１６】
本発明は、特に、携帯電話機のような表示手段の小さい小型の端末装置に適している。
【００１７】
ところで、同時に１個以上のアイコンが選択されてハイライトされるようにしてもよい。この場合、ハイライトされる各アイコンに対して、１つのエンターキーをそれぞれ備えるようにする。例えば、３個のアイコンが同時にハイライトされるようにする場合、３個の各々のアイコンに対してエンターキーを備え、ユーザは、それらのうちの１個を押すことによって、所望のメニューアイテムを入力することができる。
【００１８】
【発明の実施の形態】
以下、本発明に係る無線通信端末装置及びアイコンの表示方法について、図面を参照しながら詳細に説明する。
【００１９】
図１は、無線通信システムにおける本発明を適用した携帯電話機の平面図である。この図１に示すように、携帯電話機１０は、表示部１１を備え、表示部１１には、メニューアイテム（menu items）、及びテキスト情報（text information）のような他の情報に対応するアイコンが表示される。また、携帯電話機１０は、その筐体の前面上部にラウドスピーカ１２を、前面下部にマイクロフォン１３を備える。また、携帯電話機１０は、メニューアイテム又は機能を入力するための入力手段としてエンターキー１４を備える。また、携帯電話機１０は、通常の番号キー１５、ポンドキー（＃）１６、電源入／切キー１７を備える。さらに、携帯電話機１０は、ジョグダイヤル１８を、筐体の側面上部に備える。ジョグダイヤル１８は、回転キーであり、その一部は本体の外側に露出している。ユーザは、この露出部分を、指で右回りに（上へ）又は左回りに（下へ）回転させ、表示部１１に表示されているメニューアイテム又は機能をスクロールすることができる。
【００２０】
メニューアイテム又は機能は、表示部１１にテキスト表示として又はアイコンとして表示される。テキスト表示は、例えば、文字（characters）で書かれた語（term）又は語句（expression）であり、メニューアイテム又は機能の意味（the meaning of the respective function or menu item）を説明するものでる。アイコンは、シンボル（symbol）の図形表示（graphical display）であり、シンボルは、機器のメニューアイテム又は他の機能を表している。
【００２１】
携帯電話機１０の表示部１１は、図形表示器（graphical display）であり、通常のテキスト又は文字表示器よりも解像度が高く、アイコンの滑らかな回転動作を、視覚的に面白く表示することができる。
【００２２】
携帯電話機１０の表示部１１は、例えば図１に示すように、５つのアイコンを表示する５つの異なる位置＃Ａ、＃Ｂ、＃Ｃ、＃Ｄ、＃Ｅを有する。表示される各アイコンは、メニューのメニューアイテムに対応している。各アイコンは、対応するメニューアイテムの意味を可視化したものであるので、アイコンを、携帯電話機１０の選択されたユーザ言語にかかわらず使用することができる。
【００２３】
位置＃Ａのアイコンは、他の位置に表示されたアイコンよりも拡大されて表示される。すなわち、位置＃Ａのアイコンは選択及びハイライト（highlight）されており、エンターキー１４を押すことによって、そのアイコンに対応したメニューアイテムが入力される。表示された５個の全てのアイコンは、表示部１１上に環状（circular arrangement）に配され、表示部１１の中央下部の位置＃Ａに、拡大されたアイコンが位置されるようにすることによって、三次元的な効果が得られる。位置＃Ｃ、＃Ｄに位置する２個のアイコンは、最も小さく表示される。位置＃Ｃ、＃Ｄは、表示部１１の最上部に位置する。位置＃Ｂ、＃Ｅのアイコンは、位置＃Ｃ、＃Ｄの最小サイズのアイコンと、位置＃Ａの拡大サイズのアイコンとの間の中間のサイズを有する。位置＃Ｂ、＃Ｅは、表示部１１の略中央の水平線上に、それぞれ右側と左側の位置である。位置＃Ａのアイコンは、最大の大きさに表示されているので、前方にあるように見え、これによって、位置＃Ｃ、＃Ｄのアイコンは、表示部１１において後方にあるように見える。
【００２４】
図２は、表示部１１を拡大した図である。図２の表示部１１のアイコンは、図１のアイコンと同様に配されている。位置＃Ａのアイコンはメニューアイテム「制御（control）」に対応し、位置＃Ｂのアイコンはメニューアイテム「再発信リスト（redial list）」に対応し、位置＃Ｃのアイコンはメニューアイテム「メッセージ（messaging）」に対応し、位置＃Ｄのアイコンはメニューアイテム「転送（divert）」に対応し、位置＃Ｅのアイコンはメニューアイテム「お好み（preference）」に対応する。アイコン「制御」が位置＃Ａに拡大されて表示されているので、メニューアイテム「制御」は、選択されており、携帯電話機１０のエンターキー１４を押すことによって入力される。
【００２５】
図３は、図２に示された５個のアイコンの第２の配置例である。図３の表示部１１では、メニューアイテム「お好み」に対応するアイコンが位置＃Ａに拡大して表示されている。したがって、携帯電話機１０のエンターキー１４を押すことによって、メニューアイテム「お好み」を入力することができる。図２の表示部１１と図３の表示部１１を比較すると、アイコンは同様の連続した順番で環状に配されているが、アイコンの各位置が１つずつずれている。図２に示されたアイコンの配置から開始して、アイコンの輪（circle of icon）は、右回りに位置を１つ回転して、図３に示す配置になる。図１に示された携帯電話機１０のジョグダイヤル１８を下へ、すなわち左回りに回すと、アイコンの位置を１つずつ左回りに変えることができる。したがって、表示部１１に環状に配されたアイコンは、ジョグダイヤル１８の回転方向と同じ方向に動くことになる。ユーザが図３に示されたアイコンの配置から開始し、位置＃Ａに、アイコン「制御」を拡大表示して配し、対応するメニューアイテムを入力するときは、ユーザは、図１に示された携帯電話機１０のジョグダイヤル１８を右回りに回し、アイコンが同様に右回りに位置を１つずつ変えるようにする。
【００２６】
ユーザが、図３に示されたアイコンの配置から開始し、ジョグダイヤル１８を１つ左回りに回すと、アイコンは左回りに位置を１つずつ変えて、図４に示された配置になる。この配置では、メニューアイテム「転送」のアイコンが、位置＃Ａに拡大して表示され、エンターキー１４を押すことによって入力される。ユーザは、図４の配置から図２の配置へ変えたいときは、ジョグダイヤル１８を２つ上へ、すなわち右回りに回して、アイコンの位置を右回りに２つずつ変える。
【００２７】
メニューアイテム「転送」のアイコンは、図２、図３及び図４のそれぞれの表示部１１で３通りの異なるサイズで表示されている。アイコン「転送」は、図２では表示部１１の位置＃Ｄに、図３では位置＃Ｅに、図４では位置＃Ａに表示されている。アイコン「転送」は、位置＃Ｄでは最小サイズで、位置＃Ｅでは中間サイズで、そして位置＃Ａでは拡大されたサイズ、すなわち最大サイズで表示される。図２、図３及び図４を比較すると、位置＃Ｅ、＃Ｂでは、位置＃Ｃ、＃Ｄでよりもアイコンは詳細に示され、さらに、位置＃Ａのアイコンは、位置＃Ｂ、＃Ｅのアイコンよりも詳細に表示される。したがって、位置＃Ａの選択されたアイコンは、他のアイコンよりも読み易い。また、位置＃Ｂ、＃Ｅの前の又は先のアイコンは、位置＃Ｃ、＃Ｄのアイコンよりも既に大きく表示されているので、ユーザは、次に選択されるアイコンのより詳細な情報が分かる。
【００２８】
図５、図６及び図７はそれぞれ、図２、図３及び図４に示された表示部１１に対する他の具体例であり、位置＃Ａの拡大表示されたアイコンに対する文字情報が、位置＃Ｆに付加されている。表示部１１において、各メニューアイテムの文字情報が位置＃Ａに表示されたアイコンに直接割り当てられていることを確実にするために、位置＃Ｆは、位置＃Ａの下に位置する。図５の表示部１１では、位置＃Ｆに「制御」という文字が表示され、これは位置＃Ａに表示されたアイコンのメニューアイテムと対応している。図６の表示部１１では、位置＃Ｆに「お好み」という文字が表示され、これは位置＃Ａに表示されたアイコンのメニューアイテムと対応している。図７の表示部１１では、位置＃Ａに表示されたアイコンのメニューアイテムに対応する「転送」という文字が位置＃Ｆに表示されている。
【００２９】
なお、本発明は、上述した具体例に限定されるものではなく、例えばアイコンを行列（matrix）に配列して、行毎にスクロールするようにしてもよい。また、例えば、アイコンの表示位置を変えずに、スクロール手段の操作によって、アイコンを順次拡大して表示するようにしてもよい。
【００３０】
また、例えば、同時に１個以上のアイコンが選択されてハイライトされるようにしてもよい。この場合、ハイライトされる各アイコンに対して、１つのエンターキーをそれぞれ備えるようにする。例えば、３個のアイコンが同時にハイライトされるようにする場合、３個の各々のアイコンに対してエンターキーを備え、ユーザは、それらのうちの１個を押すことによって、所望のメニューアイテムを入力することができる。
【００３１】
【発明の効果】
本発明に係る無線通信端末装置は、メニューアイテム及び他の情報に対応するアイコンを表示する表示手段と、アイコンをスクロールし、選択されるアイコンをハイライトするスクロール手段と、ハイライトされたアイコンを入力して、そのメニューアイテムを選択する入力手段を備える。表示手段には、メニューの利用可能な全てのアイコンのうちの少なくとも幾つかが同時に表示され、スクロール手段が、アイコンを少なくとも２つの方向にスクロールして、選択されるアイコンをハイライトして表示する。スクロール手段を操作することによって、表示されたアイコンは、順次連続して位置を変え、選択されるアイコンが常に表示手段の同じ位置に拡大して表示される。ユーザは、常に最初に表示手段の中央を見ることが多いので、表示手段を見回して、ハイライトされたアイコンを見つける必要がなく、簡単に所望のアイコンを見つけることができる。
【図面の簡単な説明】
【図１】無線通信システムにおける本発明を適用した携帯電話機の平面図である。
【図２】携帯電話機の表示部を拡大したものであり、アイコンの第１の配置例を示す図である。
【図３】携帯電話機の表示部を拡大したものであり、アイコンの第２の配置例を示す図である。
【図４】携帯電話機の表示部を拡大したものであり、アイコンの第３の配置例を示す図である。
【図５】図２に示された表示部に対する文字表示を有する他の具体例を示す図である。
【図６】図３に示された表示部に対する文字表示を有する他の具体例を示す図である。
【図７】図４に示された表示部に対する文字表示を有する他の具体例を示す図である。
【符号の説明】
１０  携帯電話機、１１  表示部、１２  ラウドスピーカ、１３  マイクロフォン、１４  エンターキー、１５  番号キー、１８  ジョグダイアル
【図１】
0005057604.tif 000002
【図２】
0005057604.tif 000003
【図３】
0005057604.tif 000004
【図４】
0005057604.tif 000005
【図５】
0005057604.tif 000006
【図６】
0005057604.tif 000007
【図７】
0005057604.tif 000008